(57)【要約】【課題】１種類の粘着剤によって意図しない剥離を抑制しながらも再剥離機能を実現する。【解決手段】表面シート１０の裏面において、互いに対向する２組の２辺のうち表面シート１０の長手方向にて対向する１組の２辺に沿う領域の全面に粘着剤３０をそれぞれ塗布して強貼着部１２ａを形成し、裏面の強貼着部１２ａ以外の領域に、粘着剤３０をマトリックス状にパターン塗布することにより粘着剤３０が一部未塗布となった弱貼着部１２ｂを形成する。【選択図】図１
2008039837.tif 000002
【特許請求の範囲】
【請求項１】
シート基材の一方の面に粘着剤が塗布され、該粘着剤によって被着体に貼着可能なラベルであって、
前記シート基材の前記粘着剤が塗布された面のうち少なくとも角部となる領域は、当該領域の全面に前記粘着剤が塗布され、
前記シート基材の前記粘着剤が塗布された面のそれ以外の領域は、前記粘着剤が一部未塗布となるようにパターン塗布されているラベル。
【発明の詳細な説明】
【技術分野】
【０００１】
本発明は、物品等の被着体に貼着可能なラベルに関し、特に、その貼着構造に関する。
【背景技術】
【０００２】
従来より、配送物を配送する場合、配送物の配送元及び配送先の住所や氏名あるいは名称等の配送情報が記載された配送伝票が用いられている。このような配送伝票は、上述したような配送情報が印字あるいは記入され、裏面に塗布された粘着剤によって配送物に貼着されて使用される。
【０００３】
配送伝票が貼着された配送物は、配送伝票に印字あるいは記入された配送情報に従って配送先に配送されることになる。そのため、配送物に貼着された配送伝票は、配送物から容易に剥離してしまうことがないようにしっかりと貼着されている必要がある。
【０００４】
一方、配送先に配送された配送物は、配送伝票を剥離する必要がある。これは、例えば、配送物が収容された箱をごみとして廃棄する場合、ごみ分別のために配送物が収容された箱と配送伝票とを分別して廃棄しなければならないためである。また、配送物が収容された箱と配送伝票とを分別して廃棄する必要がない場合であっても、配送物が収容された箱を廃品回収業者等に引き渡す場合、配送物が収容された箱が配送伝票が貼着された状態で廃品回収業者等にて引き取られると、配送伝票に配送情報として印刷あるいは記入された個人情報が漏洩してしまうことになる。
【０００５】
このように、配送物に貼着される配送伝票は、一方では、配送物から剥離しにくくすることが要求され、他方では、配送物から剥離しやすくすることが要求されるといった、相反する２つの条件を満たすことが要求される。
【０００６】
そこで、配送伝票の互いに対向する２辺に沿う領域にのみ粘着剤を塗布しておくことが考えられる。このような構成とした場合、配送伝票の互いに対向する２辺に沿う領域に粘着剤が塗布されていることにより、配送物から容易に剥離されにくくなり、かつ、それ以外の領域には粘着剤が塗布されていないことにより、粘着剤が塗布された領域が配送物から剥離されてしまえば、配送伝票を配送物から分離することができる。ところが、このように配送伝票の互いに対向する２辺に沿う領域にのみ粘着剤を塗布しておくものにおいては、配送伝票の縁部のうち粘着剤が塗布されていない領域に手等が引っ掛かり、配送伝票が配送物から意図せずに剥離してしまう虞れがある。
【０００７】
ここで、１つの基材の一方の面を２つの領域に分け、この２つの領域に粘着力が互いに異なる２種類の粘着剤を塗布する技術が特許文献１に記載されている。そこで、上述したような配送伝票についても、粘着力が互いに異なる２種類の粘着剤を用い、配送物との貼着面のうち、周縁部に沿う領域や角部となる領域に粘着力が強い粘着剤を塗布し、それ以外の領域に粘着力が弱い粘着剤を塗布すれば、周縁部に沿う領域や角部となる領域に粘着力が強い粘着剤が塗布されていることにより、配送物から容易に剥離されにくくなり、かつ、それ以外の領域に粘着力が弱い粘着剤が塗布されていることにより、粘着力が強い粘着剤が塗布された周縁部や角部が配送物から剥離されればその後は配送物から容易に剥離できる構成とすることができるようになる。また、配送伝票の縁部に手等が引っ掛かり、配送伝票が配送物から意図せずに剥離してしまうことがなくなる。
【特許文献１】特開２００３−１７３１４３号公報
【発明の開示】
【発明が解決しようとする課題】
【０００８】
しかしながら、上述したように粘着力が異なる複数種類の粘着剤を用いる場合、その分のコストがかかってしまい、また、複数種類の粘着剤は別々の工程で塗布することになるため、その分の手間がかかってしまうという問題点がある。
【０００９】
本発明は、上述したような従来の技術が有する問題点に鑑みてなされたものであって、１種類の粘着剤によって意図しない剥離を抑制しながらも再剥離機能を実現できるラベルを提供することを目的とする。
【課題を解決するための手段】
【００１０】
上記目的を達成するために本発明は、
シート基材の一方の面に粘着剤が塗布され、該粘着剤によって被着体に貼着可能なラベルであって、
前記シート基材の前記粘着剤が塗布された面のうち少なくとも角部となる領域は、当該領域の全面に前記粘着剤が塗布され、
前記シート基材の前記粘着剤が塗布された面のそれ以外の領域は、前記粘着剤が一部未塗布となるようにパターン塗布されている。
【００１１】
上記のように構成された本発明においては、シート基材の被着体との貼着面のうち少なくとも角部となる領域の全面に粘着剤が塗布されていることにより、被着体からの意図しない剥離が抑制され、また、シート基材の被着体との貼着面のそれ以外の領域に、粘着剤が一部未塗布となるようにパターン塗布されていることにより、その領域においては被着体に対する貼着力が弱くなり、粘着剤が全面に塗布された領域が被着体から剥離されれば、その後は被着体から容易に剥離され、再剥離機能が実現される。
【００１２】
このように、シート基材の被着体との貼着面において、少なくとも角部となる領域とそれ以外の領域とで、粘着剤の塗布パターンを異ならせることにより、複数種類の粘着剤を用いることなく被着体に対する貼着力が異なることになる。
【発明の効果】
【００１３】
以上説明したように本発明においては、シート基材の被着体との貼着面のうち少なくとも角部となる領域の全面に粘着剤が塗布され、かつ、シート基材の被着体との貼着面のそれ以外の領域に、粘着剤が一部未塗布となるようにパターン塗布されている構成としたため、シート基材の被着体との貼着面において、少なくとも角部となる領域とそれ以外の領域とで、複数種類の粘着剤を用いることなく被着体に対する貼着力が異なることになり、１種類の粘着剤によって意図しない剥離を抑制しながらも再剥離機能を実現できる。
【発明を実施するための最良の形態】
【００１４】
以下に、本発明の実施の形態について図面を参照して説明する。
【００１５】
図１は、本発明のラベルの実施の一形態となる配送伝票を示す図であり、（ａ）は表面から見た図、（ｂ）は（ａ）に示したＡ−Ａ’断面図、（ｃ）は表面シート１０の裏面の構造を示す図である。
【００１６】
本形態は図１に示すように、シート基材である表面シート１０の裏面に粘着剤３０が塗布され、この粘着剤３０を介して表面シート１０と剥離紙２０とが剥離可能に貼着されて構成されている。剥離紙２０は、剥離台紙２１の一方の面にシリコン等の剥離剤２２が塗布され、この剥離剤２２が塗布された面が粘着剤３０を介して表面シート１０と貼着されることにより、表面シート１０と剥離紙２０とが剥離可能に貼着される。
【００１７】
表面シート１０は、表面には、この配送伝票１が貼着される配送物の配送元及び配送先の住所や氏名あるいは名称等の配送情報が印刷される配送情報印刷領域１１が設けられている。裏面においては、互いに対向する２組の２辺のうち表面シート１０の長手方向にて対向する１組の２辺に沿う領域の全面に粘着剤３０がそれぞれ塗布されており、その領域が強貼着部１２ａとなっている。また、裏面の強貼着部１２ａ以外の領域は、粘着剤３０がマトリックス状にパターン塗布されることにより粘着剤３０が一部未塗布となった弱貼着部１２ｂとなっている。弱貼着部１２ｂにおいては、図１（ｃ）に示すように、一辺が１ｍｍの正方形の形状で、２ｍｍピッチで粘着剤３０がマトリックス状に塗布されており、それにより、強貼着部１２ａよりも配送物等の被着体に対する貼着力が弱くなっている。また、強貼着部１２ａは、表面シート１０の互いに対向する１組の２辺に沿う領域の全面に粘着剤３０がそれぞれ塗布されて構成されていることにより、表面シート１０の角部となる領域を含んでいる。
【００１８】
以下に、上記のように構成された配送伝票１の使用方法について説明する。
【００１９】
まず、配送伝票１の配送情報印刷領域１１に配送情報を印刷する際の処理について説明する。
【００２０】
図２は、図１に示した配送伝票１の配送情報印刷領域１１に配送情報を印刷する際の処理を説明するための図であり（ａ）は配送伝票１が分離可能に区画形成された印刷シートを示す図、（ｂ）は（ａ）に示した印刷シート８に情報が印刷される際の印刷シート８の状態を示す図である。
【００２１】
図２（ａ）に示すように、図１に示した配送伝票１は、配送情報印刷領域１１に配送情報が印刷される際は、印刷シート８に分離可能に区画形成された状態となっている。印刷シート８は、配送伝票１が分離可能に区画形成された配送伝票用シート４と、納品書用シート３とがミシン目６を介して切り離し可能に連接して構成されている。配送伝票用シート４には、表面シート１０にスリット５が形成されており、このスリット５によって配送伝票１が分離可能となっている。また、剥離紙２０を構成する剥離剤２２は、印刷シート８の剥離紙２１のうち、配送伝票１となる領域のみに塗布されており、それにより、配送伝票１がスリット５を介して配送伝票用シート４から分離されるとともに剥離紙２０から剥離されることになる。
【００２２】
上記のように構成された印刷シート８の納品書用シート３に所定の情報を印刷するとともに配送伝票１の配送情報印刷領域１１に配送情報を印刷するために印刷シート８をプリンタにセットすると、図２（ｂ）に示すように、印刷シート８が、剥離紙２０が内側となるように移送ローラ７に巻きつけられ、納品書用シート３と配送伝票用シート４との連接方向に直交する方向に移送ローラ７が回転して移送されていく。すると、移送ローラ７による移送によって印刷シート８の移送方向に引張力が加わるとともに、表面シート１０及び剥離紙２０と移送ローラ７の表面との間の距離の差により、表面シート１０の配送伝票１となる部分がスリット５部分から剥離されやすくなる。ところが、配送伝票１においては、その表面シート１０について、印刷シート８の搬送方向、すなわち、配送伝票１の長手方向にて対向する１組の２辺に沿う領域の全面には粘着剤３０がそれぞれ塗布されており、その領域が強貼着部１２ａとなっているため、表面シート１０の配送伝票１となる部分をスリット５部分から剥離されにくくすることができる。
【００２３】
上述したように印刷シート８が移送されながら、納品書用シート３に所定の情報が印刷されるとともに配送伝票１の配送情報印刷領域１１に配送情報が印刷され、その後、納品書用シート３と配送伝票用シート４とがミシン目６によって分離され、さらに、配送伝票１がスリット５を介して配送伝票用シート４から分離されるとともに剥離紙２０から剥離されて配送物に貼付されて利用されることになる。
【００２４】
配送伝票１が貼着された配送物は、配送情報印刷領域１１に印刷された配送情報に従って配送先に配送されることになる。
【００２５】
図３は、図１に示した配送伝票１の配送物からの剥離作用を説明するための図であり、（ａ）は剥離される前の状態を示す図、（ｂ）は強貼着部１２ａが剥離された後の状態を示す図である。
【００２６】
一般に、配送物２に貼着された配送伝票１が剥離される場合、図３（ａ）に示すように、その角部（図中Ａ方向）に剥離するための力が加わることにより剥離される場合が多い。ところが、図１に示した配送伝票１においては、表面シート１０の長手方向にて対向する１組の２辺に沿う領域の全面に粘着剤３０がそれぞれ塗布されており、その領域が強貼着部１２ａとなっているため、角部から剥離するような意図しない力が加わった場合においても、配送伝票１は配送物２から剥離しにくくなっている。また、強貼着部１２ａ以外の領域は、強貼着部１２ａよりも配送物２に対する貼着力が弱いものの、配送物２に対して貼着力を有する弱貼着部１２ｂとなっているため、配送伝票１の縁部に手等が引っ掛かり、配送伝票１が配送物２から意図せずに剥離してしまうことがなくなる。
【００２７】
配送物２が配送先に配送された後、配送物２から配送伝票１を剥離する場合は、まず、配送伝票１の強貼着部１２ａを配送物２から剥離する。すると、配送伝票１において次に配送物２から剥離される領域は、粘着剤３０がパターン塗布されることにより配送物２に対する貼着力が強貼着部１２ａよりも弱い弱貼着部１２ｂとなっているため、図３（ｂ）に示すように、配送伝票１の強貼着部１２ａが配送物２から剥離された後は、この弱貼着部１２ｂを配送物２から剥離することになり、配送伝票１を配送物２から容易に剥離することができ、再剥離機能が実現される。
【００２８】
なお、本形態においては、表面シート１０の裏面において、一辺が１ｍｍの正方形の形状で、２ｍｍピッチで粘着剤３０がマトリックス状に塗布されているが、弱貼着部１２ｂの配送物２に対する貼着力に応じてその大きさ及びピッチは適宜設定することができる。粘着剤３０の塗布形状の大きさを大きくしたり、ピッチを狭めたりすることにより、弱貼着部１２ｂの配送物２に対する貼着力を強くすることができ、また、粘着剤３０の塗布形状の大きさを小さくしたり、ピッチを広めたりすることにより、弱貼着部１２ｂの配送物２に対する貼着力を弱くすることができる。ただし、粘着剤３０の塗布形状の大きさは、再剥離機能を実現するためには、一辺が１ｍｍ以下となるものが好ましい。
【００２９】
また、本形態においては、弱貼着部１２ｂにおいて粘着剤３０が正方形の形状に塗布されているが、粘着剤３０の塗布の形状は円形状やその他の形状であってもよい。
【００３０】
（他の実施の形態）
図４は、本発明のラベルの他の実施の形態となる配送伝票を示す図であり、（ａ）は表面から見た図、（ｂ）は（ａ）に示したＡ−Ａ’断面図、（ｃ）は表面シート１１０の裏面の構造を示す図である。
【００３１】
本形態は図４に示すように、図１に示したものに対して、粘着剤１３０が全面に塗布されてなる強貼着部１１２ａの形成領域と、弱貼着部１１２ｂの構造とがそれぞれ異なるものである。本形態における強貼着部１１２ａは、表面シート１１０の周縁部に沿う領域の全面に粘着剤１３０が塗布されることにより、表面シート１１０の周縁部に沿う領域に形成されている。また、本形態の配送伝票１０１における弱貼着部１１２ｂは、表面シート１１０の裏面に粘着剤１３０が縞状にパターン塗布されて構成されており、それにより、強貼着部１１２ａよりも配送物等の被着体に対する貼着力が弱くなっている。また、強貼着部１１２ａは、表面シート１１０の周縁部に沿う領域の全面に粘着剤１３０がそれぞれ塗布されて構成されていることにより、表面シート１１０の角部となる領域を含んでいる。
【００３２】
上記のように構成された配送伝票１０１においても、配送物に貼着された場合、表面シート１１０の周縁部に沿う領域の全面に粘着剤１３０が塗布されており、その領域が強貼着部１１２ａとなっていることにより、角部から剥離するような意図しない力が加わった場合においても、配送物から剥離しにくくなっている。また、配送物から配送伝票１０１を剥離する場合に、配送伝票１０１の強貼着部１１２ａを配送物から剥離した後は、強貼着部１１２ａ以外の領域が、配送物に対する貼着力が弱い弱貼着部１１２ｂとなっていることにより、配送伝票１０１を配送物から容易に剥離することができ、再剥離機能が実現される。
【００３３】
なお、上述した実施の形態においては、表面シート１０，１１０の互いに対向する２辺に沿う領域や、周縁部に沿う領域の全面に粘着剤３０，１３０が塗布されているが、粘着剤３０，１３０が全面に塗布される領域は、表面シート１０，１１０の少なくとも角部となる領域であればよい。以下に、その実施の形態について説明する。
【００３４】
図５は、本発明のラベルの他の実施の形態となる配送伝票を示す図であり、（ａ）は表面から見た図、（ｂ）は（ａ）に示したＡ−Ａ’断面図、（ｃ）は表面シート２１０の裏面の構造を示す図である。
【００３５】
本形態は図５に示すように、図１に示したものに対して、粘着剤２３０が全面に塗布されてなる強貼着部２１２ａの形成領域が異なるものである。本形態における強貼着部２１２ａは、表面シート２１０の角部となる領域の全面に粘着剤２３０が塗布されることにより、表面シート２１０の角部となる領域に形成されている。
【００３６】
上記のように構成された配送伝票２０１においても、配送物に貼着された場合、表面シート２１０の角部となる領域の全面に粘着剤２３０が塗布されており、その領域が強貼着部２１２ａとなっていることにより、角部から剥離するような意図しない力が加わった場合においても、配送物から剥離しにくくなっている。また、配送物から配送伝票２０１を剥離する場合に、配送伝票２０１の強貼着部２１２ａを配送物から剥離した後は、強貼着部２１２ａ以外の領域が、配送物に対する貼着力が弱い弱貼着部２１２ｂとなっていることにより、配送伝票２０１を配送物から容易に剥離することができ、再剥離機能が実現される。
【００３７】
なお、上述した実施の形態においては、ラベルとして配送物に貼着される配送伝票１，１０１，２０１を例に挙げて説明したが、本発明のラベルは、被着体に貼着可能なものであれば、上述したような配送伝票１，１０１，２０１に限らず様々なものに用いることができる。
【図面の簡単な説明】
【００３８】
【図１】本発明のラベルの実施の一形態となる配送伝票を示す図であり、（ａ）は表面から見た図、（ｂ）は（ａ）に示したＡ−Ａ’断面図、（ｃ）は表面シートの裏面の構造を示す図である。
【図２】図１に示した配送伝票の配送情報印刷領域に配送情報を印刷する際の処理を説明するための図であり（ａ）は配送伝票が分離可能に区画形成された印刷シートを示す図、（ｂ）は（ａ）に示した印刷シートに情報が印刷される際の印刷シートの状態を示す図である。
【図３】図１に示した配送伝票の配送物からの剥離作用を説明するための図であり、（ａ）は剥離される前の状態を示す図、（ｂ）は強貼着部が剥離された後の状態を示す図である。
【図４】本発明のラベルの他の実施の形態となる配送伝票を示す図であり、（ａ）は表面から見た図、（ｂ）は（ａ）に示したＡ−Ａ’断面図、（ｃ）は表面シートの裏面の構造を示す図である。
【図５】本発明のラベルの他の実施の形態となる配送伝票を示す図であり、（ａ）は表面から見た図、（ｂ）は（ａ）に示したＡ−Ａ’断面図、（ｃ）は表面シートの裏面の構造を示す図である。
【符号の説明】
【００３９】
１，１０１，２０１    配送伝票
２    配送物
３    納品書用シート
４    配送伝票用シート
５    スリット
６    ミシン目
７    移送ローラ
８    印刷シート
１０，１１０，２１０    表面シート
１１，１１１，２１１    配送情報印刷領域
１２ａ，１１２ａ，２１２ａ    強貼着部
１２ｂ，１１２ｂ，２１２ｂ    弱貼着部
２０，１２０，２２０    剥離紙
２１，１２１，２２１    剥離台紙
２２，１２２，２２２    剥離剤
３０，１３０，２３０    粘着剤
【図１】
2008039837.tif 000003
【図２】
2008039837.tif 000004
【図３】
2008039837.tif 000005
【図４】
2008039837.tif 000006
【図５】
2008039837.tif 000007